(57)【要約】【課題】  従来技術として、第２の係合部を連結部に対してスライド可能に保持するスライド機構を構成してなるものであるが、本発明とは、目的や効果がまったく異なるものである。書籍、雑誌等の包装材料専用のものであり、本発明のようなリール用釣竿や魚釣用リールに取り付けて使用するものではない。【解決手段】  ロック部を設けた基台の先端に固定係止部を設け、後端にスライド係止部を形設したスライド板を設けると共に、スライド板と連動するロック部と噛み合う可動可能なロック解除部を設けてなる保持具を具備し、タグを収納してなるタグ収納部を設けてなる。【選択図】図１
2011030554.tif 000002
【特許請求の範囲】
【請求項１】
ロック部を設けた基台の先端に固定係止部を設け、後端にスライド係止部を形設したスライド板を設けると共に、スライド板と連動するロック部と噛み合う可動可能なロック解除部を設けてなる保持具を具備し、タグを収納してなるタグ収納部を設けてなることを特徴とするスライド式商品万引防止タグ。
【請求項２】
ロック部が、基台の上面に凹凸状に形成されると共に、鉄製の部品を有してなるロック解除部がスプリングにより上下可動可能に形成し、下面をロック部に対応すべく凹凸状に形成してなることを特徴とする請求項１記載のスライド式商品万引防止タグ。
【請求項３】
固定係止部と、スライド板に設けたスライド係止部とを、同一軸線上に形成してなることを特徴とする請求項１又は２記載のスライド式商品万引防止タグ。
【請求項４】
磁石により鉄製の部品を有してなるロック解除具とロック部を分離させることを特徴とする請求項１、２又は３記載のスライド式商品万引防止タグ。
【請求項５】
万引防止として、リール用釣竿のリール取付具に取り付けてなることを特徴とする請求項１、２、３又は４記載のスライド式商品万引防止タグ。
【請求項６】
固定係止部及びスライド係止部の幅１０ｍｍ〜２０ｍｍにしてなることを特徴とする請求項１、２、３、４又は５記載のスライド式商品万引防止タグ。
【請求項７】
ロック部を設けてなる基台の一方に、左右にスライドするスライド係止孔を設けると共に、ロック部と噛み合う可動可能なロック解除部を設けてなる保持具を具備し、他方に固定係止孔と、タグを収納してなるタグ収納部を設けてなることを特徴とするスライド式商品万引防止タグ。
【請求項８】
ロック部が基台の下面に凹凸状に形成されると共に、鉄製の部品を有してなるロック解除部がスプリングにより上下可動可能に形成し、上面をロック部に対応すべく凹凸状に形成してなることを特徴とする請求項７記載のスライド式商品万引防止タグ。
【請求項９】
固定係止孔と、スライド係止孔が同一軸線上に形成してなることを特徴とする請求項７又は８記載のスライド式商品万引防止タグ。
【請求項１０】
磁石により、鉄製の部品を有してなるロック解除具とロック部を分離させることを特徴とする請求項７、８又は９記載のスライド式商品万引防止タグ。
【請求項１１】
万引防止として、魚釣用リールの支持部に取り付けてなることを特徴とする請求項７、８、９又は１０記載のスライド式商品万引防止タグ。
【請求項１２】
スライド係止孔及び固定係止孔の幅を１０ｍｍ〜２０ｍｍにしてなることを特徴とする請求項７、８、９、１０及び１１記載のスライド式商品万引防止タグ。
【発明の詳細な説明】
【技術分野】
【０００１】  本発明は、主にリール用竿や魚釣用リールに取り付けて使用するスライド式商品万引防止タグに関するものである。
【背景技術】
【０００２】  背景技術として、コンパクトディスクの収納ケースの蓋部の第１の溝に挿入される第１の係合片を有する第１の係合部と、蓋部の第２の溝に挿入される第２の係合片を有する第２の係合部と、第１及び第２の係合片とともに収納ケースを挟み込んで、閉じた状態に保持可能とする連結部と、蓋部を閉じた状態に保持するロック機構とを具備し、第１の係合部と第２の係合部と連結部のうちいずれかの、外部から容易に取り外せない部位に防犯タグを取り付けたもがある。（特許文献１参照）【０００３】  別の背景技術として、情報の書き込みと読み出しが可能なＩＣタグと備えることを特徴とする書籍、雑誌等の包装材料がある。（特許文献２参照）
【先行技術文献】
【特許文献】
【０００４】
【特許文献１】  特開平７−１３７７７９号公報
【特許文献２】  特開２００２−３２６４７６号公報
【発明の概要】
【発明が解決しようとする課題】
【０００５】  上記前者は、第２の係合部を連結部に対してスライド可能に保持するスライド機構を構成してなるものであるが、本発明とは、目的や効果がまったく異なるものである。【０００６】  また、上記後者においては、書籍、雑誌等の包装材料専用のものであり、本発明のようなリール用釣竿や魚釣用リールに取り付けて使用するものではない。【０００７】  本発明は、このような従来の構成が有していた問題を解決しようとするものであり、特に固定係止部とスライド係止部を形設したスライド板により、リール用釣竿に取り付け万引を防止できるものである。
また、スライドするスライド係止孔と固定係止孔により、魚釣用リールに取り付け、万引を防止できるスライド式商品万引防止タグを提供することを目的とする。
【課題を解決するための手段】
【０００８】  本発明は、上記目的を達成するために、ロック部を設けた基台の先端に固定係止部（幅を１０ｍｍ〜１７ｍｍとすることが望ましい）を設け、後端にスライド係止部（幅を１０ｍｍ〜１７ｍｍとすることが望ましい）を形設したスライド板を設けると共に、スライド板と連動するロック部と噛み合う稼動可能なロック解除部を設けてなる保持具を具備し、タグを収納してなるタグ収納部を設けてなる。
ロック部が、基台の上面に凹凸状に形成されると共に、鉄製の部品を有してなるロック解除部がスプリングにより上下可動可能に形成し、下面をロック部に対応すべく凹凸状に形成してなる。
固定係止部と、スライド板に設けたスライド係止部とを、同一軸線上に形成してなる。
磁石により鉄製の部品を有してなるロック解除具とロック部を分離させることを特徴とする。
万引防止として、リール用釣竿のリール取付具に取り付けてなることを特徴とする。
ロック部を設けてなる基台の一方に、左右にスライドするスライド係止孔を設けると共に、ロック部と噛み合う可動可能なロック解除部を設けてなる保持具を具備し、他方に固定係止孔（幅を１０ｍｍ〜２０ｍｍとすることが望ましい）と、タグを収納してなるタグ収納部を設けてなることを特徴とする。
ロック部が基台の下面に凹凸状に形成されると共に、鉄製の部品を有してなるロック解除部がスプリングにより上下可動可能に形成し、上面をロック部に対応すべく凹凸状に形成してなることを特徴とする。
固定係止孔と、スライド係止孔が同一軸線上に形成してなることを特徴とする。
磁石により、鉄製の部品を有してなるロック解除具とロック部を分離させることを特徴とする。
万引防止として、魚釣用リールの支持部に取り付けてなることを特徴とする。
【発明の効果】
【０００９】１）、固定係止部とスライド係止部を形設したスライド板により、特にリール用釣竿のリール取付部へ着脱自在に取り付けることができ、万引きを防止できるものである。
２）、ロック部とロック解除具の構成により確実に固定できるため、通常では取り外すことができない。
３）、固定係止部とスライド板に設けたスライド係止部とを、同一軸線上に形成することにより、バランスよく取り付けることができる。
４）、磁石を使用することにより、ロック解除部を引き上げ、ロック部と分離することによりスライド式商品万引防止タグを取り外すことができる。
５）、スライドするスライド係止孔と固定係止孔により、特に魚釣用リールの支持部に着脱自在に取り付けることができ、万引きを防止することができる。
６）、固定係止孔とスライド係止孔が、同一軸線上に形成することにより、バランスよく取り付けることができる。
【図面の簡単な説明】
【００１０】
【図１】  本発明の第１実施例を示すスライド式商品万引防止タグの斜視図である。
【図２】  本発明の第１実施例を示すスライド式商品万引防止タグの正面図である。
【図３】  本発明の第１実施例を示すスライド式商品万引防止タグの縦断面図である。
【図４】  本発明の第１実施例を示すスライド式商品万引防止タグの使用状態斜視図である。
【図５】  本発明の第１実施例を示すスライド式商品万引防止タグの取付状態縦断面図である。
【図６】  本発明の第１実施例を示すスライド式商品万引防止タグの取外し第一工程縦断面図である。
【図７】  本発明の第１実施例を示すスライド式商品万引防止タグの取外し第二工程縦断面図である。
【図８】  本発明の第２実施例を示すスライド式商品万引防止タグの斜視図である。
【図９】  本発明の第２実施例を示すスライド式商品万引防止タグの正面図である。
【図１０】  本発明の第２実施例を示すスライド式商品万引防止タグの縦断面図である。
【図１１】  本発明の第２実施例を示すスライド式商品万引防止タグの使用状態斜視図である。
【図１２】  本発明の第２実施例を示すスライド式商品万引防止タグの取付状態縦断面図である。
【図１３】  本発明の第２実施例を示すスライド式商品万引防止タグの取外し第一工程縦断面図である。
【図１４】  本発明の第２実施例を示すスライド式商品万引防止タグの取外し第二工程縦断面図である。
【発明を実施するための形態】
【００１１】  第１実施例のスライド式商品万引防止タグについて説明する。
１は、スライド式商品万引防止タグである。
２は、基台で、上面に凹凸状に形成したロック部２ａを設けると共に、先端に瓜状の固定係止部２ｂを設けてある。
３は、後端に瓜状のスライド係止部３ａを形設した左右に移動するスライド板である。
なお、幅Ｈを１０ｍｍ〜２０ｍｍ（テーパー状）とすることが望ましい。
４は、上記スライド板３とカバー４ｂで連結され連動（左右に移動する）する上記ロック部２ａと噛み合うスプリング４ａ１にて上下可動可能な下面をロック部２ａと同様に凹凸状に形成してなる鉄製部品を有してなるロック解除部４ａを設けてなる保持具である。
５は、共振タグＴ（ＥＡＳ式等）を収納してなるタグ収納部である。
Ｔは共振タグに限定せず、１つ以上収納でき、別の形態のタグを収納するのも一考である。
【００１２】  上記スライド式商品万引防止タグ１の使用例について説明する。
例えば、ルアー用や一般的なリール用釣竿Ｓのリール取付具Ｓ１・Ｓ２に取り付けるもので、スライド式商品万引防止タグ１の固定係止部２ｂとスライド係止部３ａにて係止固定するもので、まず、固定係止部２ｂをリール取付具Ｓ１に差し込んだ後、保持具４を掴み左方向に移動させることにより、同時にスライド板３も左方向に移動し、スライド係止部３ａがリール取付具Ｓ２内に挿入され、係止固定する。
この時、ロック部２ａとロック解除具４ａは強固に噛み合っている。（ラチェットのように）
【００１３】  つぎに、スライド式商品万引防止タグ１をリール用釣竿Ｓから取り外す方法について説明する。
まず、取り外す前は、スライド式商品万引防止タグ１は、リール用釣竿Ｓの取付具Ｓ１に固定係止部２ｂを、また、リール取付具Ｓ２にスライド係止部３ａが係止固定してある。（図５参照）
この状態で、磁石Ｇを保持具４の上方より当接することにより磁力によりロック解除具４ａが上方に移動（スプリング４ａ１が圧縮される）し、ロック部２ａとロック解除具４ａが分離されることによりロックが解除される。（図６参照）
つづいて、保持具４（磁石Ｇ）を掴み、右方向へ移動させることにより、スライド板３も移動し、スライド係止部３ａがリール取付具Ｓ２より外れることにより、リール用釣竿Ｓより取り外すことができるものである。（図７参照）
【００１４】  第２実施例のスライド式商品万引防止タグについて説明する。
２１は、スライド式商品万引防止タグである。
２２は、下面に凹凸状に形成したロック部２２ａを設けてなる基台である。
２３は、上記基台２２の一方（ロック部２２ａ側）に、左右にスライドするスライド係止孔２３ａ（幅Ｈ１を１０ｍｍ〜２０ｍｍとすることが望ましい）を設けると共に、上記ロック部２２ａと噛み合うスプリング２３ｂ１上下可動可能な上面をロック部２２ａと同様に凹凸状に形成してなる鉄製部品を有してなるロック解除具２３ｂを設けてなる保持具である。
２４は、上記基台２２の他方（左側）に固定係止孔で、上記幅Ｈ１を同様に１０ｍｍ〜１８ｍｍとすることが望ましい。
２５は、例えば共振タグＴ１（ＥＡＳ式等）を収納してなるタグ収納部である。
Ｔは共振タグに限定せず、１つ以上収納でき、別の形態のタグを収納することも一考である。
【００１５】  上記スライド式商品万引防止タグ２１の使用例について説明する。
例えば、一般に市販されている魚釣用リールＲの支持部ＳＺに着脱自在に取り付けるもので、まず、固定係止孔２４に、支持部ＳＺの一片ＳＺ１を差し込んだ後、他片ＳＺ２に対して保持具２３を掴み、手前（左側）に押すことにより、ラチェットのようにロック部２２ａとロック解除具２３ｂが噛み合い、スライド係止孔２３ａ内に他片ＳＺ２を挿入し、強固に係止固定できるものである。（図１２参照）
【００１６】  つぎに、スライド式商品万引防止タグ２１を魚釣用リールＲより取り外す方法について説明する。
まず、取り外す前は、スライド式商品万引防止タグ２１は、魚釣用リールＲの支持部ＳＺ（ＳＺ１・ＳＺ２）に固定係止孔２４及びスライド係止孔２３ａを係止固定してある。（図１２参照）
この状態で、保持具２３の下方より磁石Ｇ１を当接することにより磁力により、ロック解除具２３ｂが下方に移動し、ロック部２２ａとロック解除具２３ｂが分離されることによりロックが解除される。（図１３参照）
つづいて、保持部２３（磁石Ｇ１）を掴み、右方向へ移動させることにより、スライド係止孔２３ａが他片ＳＺ２より外れ、魚釣用リールＲを持ち上げることにより、一片ＳＺ１が固定係止孔２４より外れ、魚釣用リールＲを取り外すことができるものである。
【００１７】  上記各実施例において、各部位の形状や大きさは、特に限定するものではなく同様な機能を有すればよい。
また、ロック解除具は、磁石に付く形態であればよく、例えば鉄板を付着させる等、特に限定しない。
さらに、主にリール用釣竿や魚釣用リール等の商品に取り付ける防犯具であるが、他の商品にも応用するものである。
さらにまた、タグにおいては共振タグ等、色々考えられるものである。
【符号の説明】
【００１８】１−−−スライド式商品万引防止タグ
２−−−基台
２ａ−−ロック部
２ｂ−−固定係止部
３−−−スライド板
３ａ−−スライド係止部
４−−−保持具
Ｓ−−−リール用釣竿
Ｓ１−−リール取付具
Ｓ２−−リール取付具
【図１】
2011030554.tif 000003
【図２】
2011030554.tif 000004
【図３】
2011030554.tif 000005
【図４】
2011030554.tif 000006
【図５】
2011030554.tif 000007
【図６】
2011030554.tif 000008
【図７】
2011030554.tif 000009
【図８】
2011030554.tif 000010
【図９】
2011030554.tif 000011
【図１０】
2011030554.tif 000012
【図１１】
2011030554.tif 000013
【図１２】
2011030554.tif 000014
【図１３】
2011030554.tif 000015
【図１４】
2011030554.tif 000016